(57)【要約】【課題】構成の新しい景品払出機構を実現する。更には、比較的軽い錘の落下による牽引でも確実に作動して特別景品を払い出すことのできる景品払出装置を実現する。【解決手段】特別景品ＳＰを保持する景品保持部１１０を第１揺動軸１３０で揺動自在に支持する。景品保持部１１０の後方部の当接板には、第２揺動軸１３２で揺動自在に支持された支持部１２０の支持アーム部１２６が、景品保持部１１０に作用する揺動力の方向から当接し、同方向に位置する第２揺動軸１３２で支持して景品保持部１１０の景品保持姿勢を維持する。支持部１２０のもう一方の被牽引アーム部１２４は、支持アーム部１２６より腕の長さが長く、錘部１５０より繋がる紐１０４に連結する。錘部１５０が落ちると、支持部１２０が揺動し、景品保持部１１０は揺動力の受け手を失って揺動し、ロッド１１４の先を下に向けて景品払出姿勢に変位する。【選択図】図３
2010187891.tif 000002
【特許請求の範囲】
【請求項１】
プッシャー型ゲーム装置に設けられる景品払出機構であって、
前方部と後方部とが第１の揺動軸を軸中心としてシーソー状に上下方向に揺動して、前記前方部が斜め上方に向いた景品保持姿勢と斜め下方に向いた景品払出姿勢とに変位可能な景品保持部と、
錘部に結ばれた紐体が端部に接続される被牽引アーム部と前記被牽引アーム部の反対側の支持アーム部とが第２の揺動軸を軸中心としてシーソー状に上下方向に揺動する支持部と、
を備え、前記景品保持姿勢における前記後方部に前記支持アーム部が係合することで前記景品保持部を前記景品保持姿勢で支持し、前記紐体の牽引による前記支持部の揺動によって当該係合が解除されて前記景品保持部が前記景品払出姿勢に変位する景品払出機構。
【請求項２】
前記支持部は、前記第２の揺動軸から前記被牽引アーム部の前記端部までの長さが、前記第２の揺動軸から前記後方部との係合位置までの長さよりも長く構成されている請求項１に記載の景品払出機構。
【請求項３】
前記被牽引アーム部は、長さが可変に構成されてなる請求項１又は２に記載の景品払出機構。
【請求項４】
前記第２の揺動軸は、前記第１の揺動軸より高い位置であって、前記景品保持姿勢における前記後方部の上方への揺動力の方向に設けられ、
前記支持アーム部は、前記後方部の上方への揺動力を前記第２の揺動軸に伝達して前記景品保持部の揺動を抑止することで前記景品保持部を前記景品保持姿勢で支持する、
請求項１〜３の何れか一項に記載の景品払出機構。
【請求項５】
前記係合が解除された後、前記景品保持部が前記景品払出姿勢を超えて揺動することのないよう、前記前方部の上方への揺動を所定位置で制止させる制止部を更に備えた請求項１〜４の何れか一項に記載の景品払出機構。
【請求項６】
前記係合が解除された後、前記支持アーム部及び前記後方部が上方へ揺動し、前記支持アーム部の前面が前記制止部に当接し、前記支持アーム部の背面に前記後方部が当接することで前記景品保持部が前記景品払出姿勢に制止される構成をなす請求項５に記載の景品払出機構。
【請求項７】
前記第１の揺動軸を共通軸とし、前記第２の揺動軸を共通軸として、請求項１〜６の何れか一項に記載の景品払出機構を複数並列に備えた景品払出装置。
【請求項８】
前記複数の景品払出機構のうち、連接する所定数の景品払出機構の前記被牽引アーム部又は前記前方部を接続して一体的に揺動させる一体接続部を更に備えた請求項７に記載の景品払出装置。
【請求項９】
請求項１〜６の何れか一項に記載の景品払出機構を備え、前記錘部が固定テーブル上に載置されるプッシャー型ゲーム装置。
【請求項１０】
請求項７又は８に記載の景品払出装置を備え、前記錘部が固定テーブル上に載置されるプッシャー型ゲーム装置。
【発明の詳細な説明】
【技術分野】
【０００１】
本発明は、錘部と結ばれた紐部の牽引によって収容している景品を排出するための景品払出機構等に関する。
【背景技術】
【０００２】
プッシャー型ゲーム装置の一種として、遊技媒体の移動に伴って景品を払い出す、プッシャー型プライズゲーム装置がある。プッシャー型プライズゲーム装置は、景品を兼ねる遊技媒体（以下、小景品とも言う。）をプレーヤの操作で作動するショベル等で運んで固定テーブル及びその上面に沿って往復スライド移動するプッシャーテーブル上に載置させて遊ぶ。固定テーブル上に次々に小景品を載せると、やがてそれらがスライドテーブルの往復に伴って玉突き状に押されて移動し、やがて載せられた固定テーブルの先から落とされる。そして、落下した小景品が上手く所定の景品払出口に入ればそれらはプレーヤに払い出される。プッシャー型プライズゲーム装置は、極めて簡単な操作且つ簡単なゲームルールでそれなりに景品を取る事ができることから特に女性や子供に人気である。
【０００３】
近年では、すくい上げられる小景品とは別の特別な景品を収容した景品払出装置を設け、固定テーブル上で移動される小景品と係合する錘に結ばれたヒモで作動させて、収容していた特別な景品を払い出すものが広く普及するようになった（例えば、特許文献１を参照）。これらは、上手くすれば大量に景品を得られる仕組みであり、プレーヤへの訴求力が高くゲーム装置の稼働率を高める上では重要な要素となっている。
【先行技術文献】
【特許文献】
【０００４】
【特許文献１】特開２００７−２１５６６６号公報
【発明の概要】
【発明が解決しようとする課題】
【０００５】
前述のように、景品払出の仕組みは重要な構成要素であり、常に新しい仕組みが要求されるところである。
【０００６】
また、錘は固定テーブルの上に載置され、プッシャーテーブルで押される小景品群によって押されて落とされるが、錘が重過ぎると小景品群によって押されたとしても固定テーブルから落ち難く、プレーヤのゲームへの興味を削ぐことになる。反対に、錘を軽くすることで固定テーブルから落とされやすくすると、今度は錘が固定テーブルから落ちたときに紐を牽引する力が小さくなり、公知の景品払出装置では確実な作動を保障できなくなる心配がある。
【０００７】
本発明はこうした実情を鑑みてなされたものであり、その目的とするところは、第１に構成の新しい景品払出機構を実現することである。第２に比較的軽い錘の落下による牽引でも確実に作動して特別景品を払い出すことのできる景品払出機構を実現し、もって特別景品がより払い出されやすい景品払出装置及びゲーム装置を実現することである。
【課題を解決するための手段】
【０００８】
以上の課題を解決するための第１の発明はプッシャー型ゲーム装置に設けられる景品払出機構であって、
前方部と後方部とが第１の揺動軸を軸中心としてシーソー状に上下方向に揺動して、前記前方部が斜め上方に向いた景品保持姿勢と斜め下方に向いた景品払出姿勢とに変位可能な景品保持部と、
錘部に結ばれた紐体が端部に接続される被牽引アーム部と前記被牽引アーム部の反対側の支持アーム部とが第２の揺動軸を軸中心としてシーソー状に上下方向に揺動する支持部と、
を備え、前記景品保持姿勢における前記後方部に前記支持アーム部が係合することで前記景品保持部を前記景品保持姿勢で支持し、前記紐体の牽引による前記支持部の揺動によって当該係合が解除されて前記景品保持部が前記景品払出姿勢に変位する景品払出機構である。
【０００９】
第１の発明によれば、支持部と景品保持部との係合は、支持部が第２の揺動軸を軸中心にして回動することで容易に解除される新しい仕組みの景品払出機構を実現することができる。
【００１０】
第２の発明は、前記支持部が、前記第２の揺動軸から前記被牽引アーム部の前記端部までの長さが、前記第２の揺動軸から前記後方部との係合位置までの長さよりも長く構成されている第１の発明の景品払出機構である。
【００１１】
第２の発明によれば、第１の発明と同様の効果を奏するとともに、錘部の落下に伴って牽引された力は梃子の原理で増幅・倍力される。よって、比較的軽い錘を使用しても機構を作動させて景品を払い出すことができる。
【００１２】
第３の発明は、前記被牽引アーム部が、長さが可変に構成されてなる第１又は第２に記載の景品払出機構である。
【００１３】
第３の発明によれば、第１又は第２の発明と同様の効果を奏するとともに、錘部の落下に伴って牽引された力を、支持部と景品保持部との係合を解除する力に増幅する度合いを調整することができる。
【００１４】
また、第４の発明として、第２の揺動軸は、前記第１の揺動軸より高い位置であって、前記景品保持姿勢における前記後方部の上方への揺動力の方向に設けられ、
前記支持アーム部は、前記後方部の上方への揺動力を前記第２の揺動軸に伝達して前記景品保持部の揺動を抑止することで前記景品保持部を前記景品保持姿勢で支持する、第１〜第３の何れかの発明の景品払出機構を構成できる。
【００１５】
第４の発明によれば、第１〜第３の発明の何れかと同様の効果を奏するとともに、複雑な構成を用いず少ない構成要素で揺動の抑止を実現することができる。
【００１６】
また、第５の発明として、前記係合が解除された後、前記景品保持部が前記景品払出姿勢を超えて揺動することのないよう、前記前方部の上方への揺動を所定位置で制止させる制止部を更に備えた第１〜第４の何れかの発明の景品払出機構を構成できる。
【００１７】
第５の発明によれば、第１〜第４の発明の何れかと同様の効果を奏するとともに、景品保持部の景品払出姿勢時の姿勢に制限を設けることで、景品を確実に所定の場所に向けて払い出すことができる。
【００１８】
更に第６の発明として、前記係合が解除された後、前記支持アーム部及び前記後方部が上方へ揺動し、前記支持アーム部の前面が前記制止部に当接し、前記支持アーム部の背面に前記後方部が当接することで前記景品保持部が前記景品払出姿勢に制止される構成をなす第５の発明の景品払出機構を構成することができる。
【００１９】
第６の発明によれば、第５の発明と同様の効果を奏するとともに、支持部との係合関係を用いて景品払出姿勢の位置決めを実現できる。よって、構成部品を少なくすることができる。更に、本発明が示すところの係合関係を姿勢変位について可逆的に構成するならば、景品払出姿勢から景品保持姿勢へ戻す場合に、支持部を元の姿勢に戻す動作をさせると自動的に景品保持部も元の姿勢に戻すことができる。
【００２０】
第７の発明は、前記第１の揺動軸を共通軸とし、前記第２の揺動軸を共通軸として、第１〜第６の何れかの発明の景品払出機構を複数並列に備えた景品払出装置である。
【００２１】
第７の発明によれば、第１〜第６の発明と同様の効果を奏するとともに、一台の景品払出装置で複数の景品の保持／払出の機会を設けることができる。
【００２２】
この場合、更に第８の発明として、前記複数の景品払出機構のうち、連接する所定数の景品払出機構の前記被牽引アーム部又は前記前方部を接続して一体的に揺動させる一体接続部（例えば、図１２の第１の連結具２００、図１４の第２の連結具２１０）を更に備えた第７の発明の景品払出装置を構成することができる。
【００２３】
第８の発明によれば、第７の発明と同様の効果を奏するとともに、複数の景品払出機構部間で支持部又は景品保持部を連動させることができる。例えば、それぞれ別の錘部に連結された被牽引アーム部を一体的に接続すれば、何れかの錘部を落下させると複数の景品払出機構部で同時に払い出しが行われる。また例えば、前方部を一体的に接続し、それぞれ被牽引アーム部に別の錘部が連結されている場合には、全ての錘部を落下させることで初めて複数の景品払出機構部で同時に払い出しが行われる構成となる。このように、一体接続部の追加で多様な運用形態が実現できる。
【００２４】
第９の発明は、第１〜第６の何れかの発明の景品払出機構を備え、前記錘部が固定テーブル上に載置されるプッシャー型ゲーム装置である。
【００２５】
また、第１０の発明は、第７又は第８の発明の景品払出装置を備え、前記錘部が固定テーブル上に載置されるプッシャー型ゲーム装置である。
【００２６】
第９の発明によれば第１〜第６の発明の何れかと同様の効果を奏することができる。また、第１０の発明によれば、第７又は第８の発明と同様の効果を奏することができる。
そして、第９の発明と第１０の発明のどちらでも、プッシャー型ゲーム装置の遊技媒体として小さくて軽い景品を使用して、且つ錘部を軽く設定しても、景品払出機構部を確実に作動させて景品を払い出すことができるようになる。
【図面の簡単な説明】
【００２７】
【図１】プッシャー型プライズゲーム装置の構成例を示す斜視外観図。
【図２】景品保持状態（払出前状態）の様子を示す景品払出口周りの拡大縦断面図。
【図３】景品払出装置の構成例を示す斜視外観図（一部、分解状態）。
【図４】景品保持部の構成例を示す斜視外観図。
【図５】支持部の構成例を示す斜視外観図。
【図６】錘部の構成例を示す外観側面図。
【図７】錘部の構成例を示す縦断面図。
【図８】払出動作開始直後の様子を示す景品払出口周りの拡大縦断面図。
【図９】払出動作完了時の様子を示す景品払出口周りの拡大縦断面図。
【図１０】払出前状態に戻す動作を説明するための景品払出口周りの拡大縦断面図。
【図１１】景品払出機構の変形例を示す図。
【図１２】第１の連結具の一例を示す斜視外観図。
【図１３】第１の連結具の装着例を示す景品払出装置の斜視外観図。
【図１４】第２の連結具の一例を示す斜視外観図。
【図１５】第２の連結具の装着例を示す景品払出装置の斜視外観図。
【発明を実施するための形態】
【００２８】
次に、本発明を適用したプッシャー型ゲーム装置を例に挙げ、これに設置される特別景品の景品払出機構及び景品払出装置について説明する。
【００２９】
図１は、本実施形態におけるプッシャー型ゲーム装置２を示す斜視外観図である。また、図２は景品払出口周りの拡大縦断面図である。尚、図１では、遊技媒体となる小景品は表示していない。
【００３０】
本実施形態におけるプッシャー型ゲーム装置２は、基本的には公知のプッシャー型ゲーム装置と同様の構成を有しており、景品払出口２０と固定テーブル６とプッシャーテーブル８を１つのステーションとして真俯瞰視十字状に４ステーションが配置され、最大４人が同時にプレイすることのできるレイアウトを有する。
【００３１】
プレーヤが操作台１０の前に立ち、所望するタイミングで操作台１０の上面に設けられた第１ボタンスイッチ１２を操作すると、制御基板５０によって、第１ボタンスイッチ１２に対応する自動ショベル１４が作動を開始する。自動ショベル１４は、その腕を伸ばして固定テーブル６の下に設けられた環状溝部１６の底面に設けられた自動回転テーブル１８に載置された遊技媒体でもある小景品５をすくい上げて、腕を元に戻して一旦止まる。ここで、プレーヤが第２ボタンスイッチ１３を操作すると、自動ショベル１４はすくい上げている小景品５を放出する。すなわち、自動ショベル１４は、プレーヤの操作入力に応じて小景品５を固定テーブル６或いはプッシャーテーブル８上に運搬するように自動制御される。
【００３２】
固定テーブル６及びプッシャーテーブル８に次々に小景品５を載せてゆくと、それら小景品５はプッシャーテーブル８の景品払出口２０へ向けた自動往復動に伴って次々に玉突き状に押され、やがて固定テーブル６の左右や前端から落下するようになる。固定テーブル６の前端から落下した小景品５は、固定テーブル６の前端直下に開口した景品払出口２０に入り、景品取出口２２に払い出される。
【００３３】
そして、本実施形態のプッシャー型ゲーム装置２は、特別な景品を払い出すための景品払出装置１００を備える。尚、図１では説明のために景品払出装置１００が正面のステーションにのみ装着されて図示されているが、使用にあたっては、各ステーションそれぞれに１台ずつ景品払出装置１００を設けても良い。
【００３４】
［景品払出装置の構成］
図３は、本実施形態における景品払出装置１００の構成例を示す斜視外観図である。尚、構造が分かりやすいように一部分解状態で図示している。
本実施形態における景品払出装置１００は、３つの同型の景品払出機構１０１Ａ，１０１Ｂ，１０１Ｃ（以下、個々を識別しない場合には、単に景品払出機構１０１と言う。）を備える。
【００３５】
一つの景品払出機構１０１は、大きく分けると、（１）特別景品ＳＰを釣り下げ保持する景品保持部１１０と、（２）錘部１５０に結ばれた紐１０４に結ばれて、固定テーブル６から錘部１５０が落下した場合に牽引されるとともに、景品保持部１１０と係合することで景品保持部１１０を支持して景品保持部１１０の姿勢変化の防止又はその解除をする支持部１２０と、（３）景品保持部１１０を枢支する第１揺動軸１３０と、（４）支持部１２０を枢支する第２揺動軸１３２と、（５）支持部１２０と当接して揺動を制止させる制止部であって揺動限界を規定するストッパー１３４と、（６）第１揺動軸１３０・第２揺動軸１３２・ストッパー１３４を一体にしてプッシャー型ゲーム装置１００に固定するフレーム１３６とを備える。
【００３６】
図４は、本実施形態における景品保持部１１０の構成例を示す斜視外観図である。
景品保持部１１０は、第１揺動軸１３０を挿通する軸受部１１６の軸を挟んで前方部と後方部とに分けられる。前方部には、景品保持部１１０の全体重心が位置する基部１１２と、この基部１１２より前方側に突設されて特別景品ＳＰを釣り下げるロッド１１４とを備える。後方部には、後方側に延設された当接板１１８を備える。
【００３７】
ロッド１１４は、同図では円柱状の長細い棒であるが、特別景品ＳＰを載置することのできる網や板とすることもできる。ロッド１１４は、基部１１２にねじ込み式や圧入によって着脱自在に構成されており、長さ違いや太さ違いの他種のロッドや、網・板といった他の形態の部材と適宜差し替え可能になっている。
【００３８】
図５は、本実施形態における支持部１２０の構成例を示す斜視外観図である。
支持部１２０は、第２揺動軸１３２を挿通する軸受部１２２と、軸受部１２２を通る軸に対する直交面沿い斜め上向きに延設されて紐１０４を結ぶ孔１２３を端部に有する被牽引アーム部１２４と、軸受部１２２を通る軸に対する直交面沿い下向きに延設されて景品保持部１１０の当接板１１８の上面に当接する支持アーム部１２６とを備える。
【００３９】
被牽引アーム部１２４は、その中程から孔１２３を下端部に有する第１ピース１２４ａと、第１ピース１２４ａより先端側でその延長線上に配置される第２ピース１２４ｂとに分割されて形成されている。両者は被牽引アーム部１２４の延設方向に沿って装着された長さ調節ネジ１２５によって連結されており、第１ピース１２４ａを第２ピース１２４ｂに対して長さ調節ネジ１２５周りに回転させることで、長さ調節ネジ１２５のねじ送りによって第１ピース１２４ａと第２ピース１２４ｂとの相対距離が離れたり近づくことで被牽引アーム部１２４の全長Ｌ１を変化させることができる。
【００４０】
支持アーム部１２６の下端には、軸受部１２２を通る軸に対する直交面沿い直下方向に突設された主当接部１２８と、主当接部１２８より外側で主当接部１２８と同方向に突設された副当接部１２９とを備える。
【００４１】
主当接部１２８は、軸受部１２２の軸方向と並行な曲面を成している。同図の例では、軸受部１２２を通る軸を中心として曲面までの距離Ｒを半径とした曲面を成している。
【００４２】
尚、本実施形態では、被牽引アーム部１２４の全長Ｌ１と、軸受部１２２の主当接部１２８の端面までの長さＬ２とは、Ｌ１＞Ｌ２の関係を成している。
【００４３】
フレーム１３６は、図３に示すように一対の板状の支柱であって、例えば板金により形成される。フレーム１３６は、固定ビス３０を挿通させるビス孔１３８を下端側に備えており、固定ビス３０でプッシャー型ゲーム装置２のフレーム３に固定される（図２参照）。
【００４４】
そして、第１揺動軸１３０は、フレーム１３６の中程の高さ位置で両端が固定され、第２揺動軸１３２は第１揺動軸１３０よりも相対的に高い位置で両端が固定され、景品払出口２０より離れた位置となっている。ストッパー１３４は、第２揺動軸１３２よりも相対的に高い位置で且つ第１揺動軸１３０の上方で固定される。
【００４５】
また、景品保持部１１０は、ロッド１１４が景品払出口２０側に向いた姿勢で第１揺動軸１３０に支持され、支持部１２０は被牽引アーム部１２４が景品払出口２０と反対側に向いた姿勢で第２揺動軸１３２に支持される。
【００４６】
図６は、本実施形態における錘部１５０の構成例を示す外観側面図である。また図７は、錘部１５０の縦断面図である。
【００４７】
錘部１５０は、軽量を実現するためにプラスチックで成型され、一部外周に凸部１５２を備える中空直方体である。錘部１５０は、主に略四角形断面で有底カップ状の第１半体１５４及び第２半体１５６を凹部を突き合わせるように結合して組み立てられる。具体的には、例えば、図７に示すように、一方に突設されたボス１５８を、他方に設けられたビス座面部１６０の裏側位置に突き当てて、ビス座面部１６０から取り付けられるビス１６２で分解可能に連結される。更に、第１半体１５４及び第２半体１５６の突き合わせによって形成される内部空間１６４には、例えばウエイト１６６が接着或いは嵌着可能である。このウエイト１６６によって錘部１５０の全体重量、重心位置（バランス）を調整することができる。
【００４８】
また、第１半体１５４と第２半体１５６の何れか一方には、紐１０４との連結部１６８が設けられている（図６参照）。更に、第１半体１５４と第２半体１５６の何れか一方には、外周に凸部１５２が設けられている。
【００４９】
また、第１半体１５４と第２半体１５６は、異なる静摩擦係数及び動摩擦係数を有するように構成されている。具体的には、例えば、一方の外面にシリコンゴム塗装１７０を施す。或いは、一方をテフロン（登録商標）樹脂で成形し、他方を一般的なＡＢＳ樹脂で成形すると言った具合に摩擦係数の異なる材料でそれぞれを成形するとしても良いし、表面荒さ処理を変えるなどとしても良い。このように半体毎に異なる摩擦係数を設定することで、錘部１５０の置き方によって錘部１５０の固定テーブル６からの落ちやすさを変化させることができる。
【００５０】
［景品払出装置の動作］
次に、景品払出機構１０１及び景品払出装置１００の動作について説明する。
図２に示すように、景品払出装置１００に特別景品ＳＰが保持された払出前の状態では、景品保持部１１０は、ロッド１１４がプッシャーテーブル８の往復動方向、つまりは固定テーブル６の延設方向に沿って斜め上を向いた景品保持姿勢をとり、ロッド１１４の前端が景品払出口２０の上方に位置する。
【００５１】
そして、支持部１２０の主当接部１２８が、景品保持部１１０の後方部の当接板１１８の後端上面に当接する姿勢をとる。より具体的な相対姿勢としては、主当接部１２８が当接板１１８に当接する位置と第２揺動軸１３２とを結ぶ線分と、当接板１１８の上面との成す角度がほぼ９０°（或いは９０°よりやや小さい角度）となるように当接・係合する。そして、固定テーブル６に載置された錘部１５０に結ばれた紐１０４が被牽引アーム部１２４の孔１２３に結びつけられ、特別景品ＳＰはロッド１１４に掛けられる。
【００５２】
この払出前状態では、景品保持部１１０は自重と特別景品ＳＰの重量とによって、第１揺動軸１３０を中心にして、前方側つまり景品払出口２０に向かう下方へ先端を向けるように揺動しようとする。この時の揺動力は、当接板１１８の当接位置（当接板１１８が主当接部１２８と当接している位置）では反対に当該後方部を持ち上げる力となる。しかし、当接板１１８の当接位置での上向きの揺動力は、支持部１２０の主当接部１２８から支持アーム部１２６へ作用し、軸受部１２２を経て当該上向きの揺動力の方向に位置する第２揺動軸１３２に支えられる。その結果、景品保持部１１０は揺動せず、景品保持姿勢を維持する。なお、特別景品ＳＰの重量が比較的大きい場合には、第２揺動軸１３２と当接板１１８の当接位置とを結ぶ線分と、第１揺動軸１３０と当接板１１８の当接位置とを結ぶ線分とのなす角度が直交乃至直交に近い角度になるように、当接板１１８の長さや第１揺動軸１３０及び第２揺動軸１３２の位置関係を決めるとより好適である。
【００５３】
しかし、図８に示すように、錘部１５０が固定テーブル６から落下すると、紐１０４が被牽引アーム部１２４を下向きに曳く。この曳く力は、錘部１５０の重量が軽くとも、梃子の関係から倍力されて、支持アーム部１２６を前方へ跳ね上げるようにして第２揺動軸１３２を軸周りに揺動させる力として作用する。そして、主当接部１２８と当接板１１８との摩擦力を優に越え、支持部１２０と景品保持部１１０との当接が解除される。支持部１２０の主当接部１２８の端面が、第２揺動軸１３２の軸を中心とした半径Ｒの曲面を有していることも、被牽引アーム部１２４に作用する力が比較的小さくとも、容易に支持部１２０と景品保持部１１０との係合が解除されるのを助ける。
【００５４】
支持部１２０と景品保持部１１０との係合が解除されると、図９に示すように、景品保持部１１０は第１揺動軸１３０周りにシーソー状に揺動し、ロッド１１４の先端が斜め下を向く景品払出姿勢に変位する。この時、先に揺動し始めている支持部１２０の支持アーム部１２６の上面は、ストッパー１３４の下面に当たり、支持部１２０の揺動が規制される。更に、支持アーム部１２６との係合が解除された当接板１１８の上面は、主当接部１２８の曲面に沿って滑り、やがて支持アーム部１２６の後方向き側面１２６ａ（同図の例では揺動しきっているので斜め下向きになっている。支持アーム部１２６の上面に対して背面とも言える。）に当たり、景品保持部１１０の揺動が規制される。
【００５５】
そして、景品払出姿勢になると、ロッド１１４に掛けられていた特別景品ＳＰはその自重で滑り抜け、下方に位置する景品払出口２０へ落下し、プレーヤに払い出される。
【００５６】
特別景品ＳＰが払い出された後は、図１０に示すように、錘部１５０を固定テーブル６の上面に再載置させる。そして、支持アーム部１２６の前端部（同図の白矢印で示す位置）を指で押すと、支持アーム部１２６は第２揺動軸１３２周りに払出動作時とは逆向きに揺動されて元の位置に戻る。これに伴って、支持アーム部１２６の後方向き側面１２６ａに当接していた当接板１１８が揺動力を受け、景品保持部１１０も自動的に逆向きに揺動されて元の位置に戻る。このような簡単な操作で、新たな特別景品ＳＰの補充に備えて景品払出機構１０１を元の払出前状態に戻すことができる
【００５７】
このように、本実施形態の景品払出装置１００によれば、紐１０４を介した、比較的重量が軽い錘部１５０であっても、確実に景品の払出を実現することができる。
【００５８】
［変形例］
尚、本発明の形態は上記実施形態に限らず、適宜構成の追加・省略・変更ができる。
例えば、上記実施形態では、１台の景品払出装置１００が３つの景品払出機構１０１Ａ〜１０１Ｃを具備する構成としたが、その数は適宜変更可能である。またその場合、各景品払出機構１０１におけるロッド１１４の向きは必ずしも同じでなく、例えば放射状に向いていても良いし、一部の景品払出機構１０１のロッド１１４が景品払出口２０の上方ではなく、固定テーブル６の上方にあって、特別景品ＳＰを固定テーブル６の上面に落下させる構成としても良いのは勿論である。
【００５９】
また例えば、図１１に示すように、支持部１２０の主当接部をローラ１９０に変更し、景品保持部１１０の当接板１１８の上面にローラ１９０の軸方向に凹設された底面が弧状の溝１９２を追加し、溝１９２内でローラ１９０と当接する構成にすることとしてもよい。
【００６０】
上記実施形態では、特別景品ＳＰの重量が増すと主当接部１２８と当接板１１８との摩擦係数が高まり、支持部１２０と景品保持部１１０との係合を解除するのに要する力が大きくなってしまうが、図１１の構成ではそれを小さいままとすることができる。それでいて、ローラ１９０を溝１９２に嵌めることで、ささいな揺れで不必要に係合が解除されるのを防ぐことができる。また、当接点をローラ１９０とすることで、当接点の摩耗や荒れ、それに伴う摩擦係数の増加を低減する効果も得られる。また、景品払出機構１０１を元の払出前状態に戻す場合には、ローラ１９０が溝１９２に入ることがクリック感を生み、元の状態に戻ったことが分かりやすくなる。
【００６１】
また、上記実施形態では各景品払出機構１０１が独立で作動する構成となっているが、これを一体的に運用することもできる。例えば、図１２に示すように、ロッド１１４を挿通することのできる挿通孔２０２を３つ設けた第１の連結具２００を、図１３に示すようにロッド１１４の根本に装着する。同図の構成では、各景品払出機構１０１にそれぞれ錘部１５０が連結されているので、３つの錘部１５０を全て固定テーブル６から落とすと初めて景品が払い出される構成とすることができる。
【００６２】
また、例えば図１４に示すように、被牽引アーム部１２４を挿通することのできる挿通孔２１２を３つ設けた第２の連結具２１０を、図１５に示すように被牽引アーム部１２４の根本付近に装着する構成も可能である。同図の例では、各景品払出機構１０１にそれぞれ錘部１５０が連結されているので、３つの錘部１５０の何れかを固定テーブル６から落とすだけで、３本のロッド１１４で保持されている全ての景品が一度に払い出されることとなる。尚、第１の連結具２００及び第２の連結具２１０で連結する景品払出機構１０１の数は適宜変更できるのは勿論である。
【符号の説明】
【００６３】
２  プッシャー型ゲーム装置
５  小景品
６  固定テーブル
８  プッシャーテーブル
２０  景品払出口
１００  景品払出装置
１０１  景品払出機構
１０４  紐
１１０  景品保持部
１１２  基部
１１４  ロッド
１１６  軸受部
１１８  当接板
１２０  支持部
１２２  軸受部
１２４  被牽引アーム部
１２６  支持アーム部
１２８  主当接部
１５０  錘部
１５２  凸部
１７０  シリコンゴム塗装
【図１】
2010187891.tif 000003
【図２】
2010187891.tif 000004
【図３】
2010187891.tif 000005
【図４】
2010187891.tif 000006
【図５】
2010187891.tif 000007
【図６】
2010187891.tif 000008
【図７】
2010187891.tif 000009
【図８】
2010187891.tif 000010
【図９】
2010187891.tif 000011
【図１０】
2010187891.tif 000012
【図１１】
2010187891.tif 000013
【図１２】
2010187891.tif 000014
【図１３】
2010187891.tif 000015
【図１４】
2010187891.tif 000016
【図１５】
2010187891.tif 000017